(57)【要約】【課題】  手帳や情報機器に頼らなくても、簡単に記録していつでもどこでも見ることができるメモ用シールを提供する。【解決手段】  基材１は、人間の手のひらに収まる程度の平面形状で、薄膜層および接着層で形成され、共に撥水性、透明性、および弾性を有する。基材１の上面には、基材１の領域よりも小さい平面形状で、紙や布などを素材とする薄膜の書込み部２が剥離可能に接着されている。基材１の下面には、２枚の薄い保護紙３、４が剥離可能に接着されている。使用する場合には、書込み部２にメモを書き込み、その書込み部２を基材１から剥離する。次に、その書き込んだ面を上にして手のひらに貼り付けた後、基材１の保護紙３、４を剥離して、書き込む部２を覆うようにして手のひらに基材１を貼り付ける。【選択図】    図１
2006062207.tif 000002
【特許請求の範囲】
【請求項１】
人間の手のひらや身体の他の部分である皮膚に接着して使用する薄膜構造のメモ用シールであって、
所定の領域の平面形状で第１の層および第２の層を有する薄膜部材で構成され、前記第１の層は透明性および皮膚に接着可能な粘着性を有し、前記第２の層は透明性および撥水性を有するとともに、前記第１の層によって皮膚に接着された状態において、当該皮膚の動きに応じて伸縮可能な弾性を有する第１の部材と、
前記第１の部材の領域よりも小さい領域の平面形状の薄膜部材で構成され、一方の面は前記第１の部材に剥離可能に接着され、他方の面は所定の筆記手段によって書込みが可能な第２の部材と、
を備えたことを特徴とするメモ用シール。
【請求項２】
前記第１の部材は、前記他方の面に書き込みがなされて当該第１の部材から剥離された前記第２の部材を覆って前記他方の面を上にした状態で皮膚に接着させた場合には、当該書込み内容を十分に認識できる程度の透明性を有することを特徴とする請求項１に記載のメモ用シール。
【請求項３】
前記第１の部材は、前記他方の面に書き込みがなされて当該第１の部材から剥離された前記第２の部材を覆って前記他方の面を上にした状態で皮膚に接着させた場合には、前記第２の部材を十分に防水する程度の粘着性および撥水性を有することを特徴とする請求項１に記載のメモ用シール。
【請求項４】
前記第２の部材は、前記一方の面が弱粘着性の接着剤によって前記第１の部材の前記第２の層の表面に容易に剥離可能な状態で接着されていることを特徴とする請求項１に記載のメモ用シール。
【請求項５】
前記第２の部材は、前記一方の面が滑らかな表面によって前記第１の部材の前記第１の層の表面に容易に剥離可能な状態で接着されていることを特徴とする請求項１に記載のメモ用シール。
【請求項６】
前記第２の部材の前記他方の面は、水性又は油性のインクを用いる筆記手段および鉛筆によって書込みが可能な程度の粗面であることを特徴とする請求項１に記載のメモ用シール。
【請求項７】
前記第２の部材の前記他方の面は、前記第１の部材の前記第１の層と接着された場合の接着力が、前記第１の部材の前記第１の層と皮膚とが接着された場合の接着力より強くなる程度の粗面であることを特徴とする請求項１に記載のメモ用シール。
【請求項８】
前記第１の部材は、生分解性プラスチックであるポリ乳酸を素材として構成されていることを特徴とする請求項１に記載のメモ用シール。
【請求項９】
前記第２の部材は、生分解性の植物繊維を素材として構成されていることを特徴とする請求項１に記載のメモ用シール。
【発明の詳細な説明】
【技術分野】
【０００１】
本発明は、メモ用シールに関し、特に、人間の手のひらや身体の他の部分である皮膚に接着して使用する薄膜構造のメモ用シールに関するものである。
【背景技術】
【０００２】
高齢化社会における問題の１つとして、高齢による記憶力の低下に伴う「もの忘れ」がある。企業などの組織に所属している間は、その組織の管理下に置かれている上、個人が手帳や携帯電話、携帯情報端末（ＰＤＡ：Personal Digital Assists）などの情報機器に予定を記録しているので、「もの忘れ」を防止することは困難ではなかった。しかし、退職して自宅で老後を生活するような環境になると、必要事項を手帳に記録する習慣が次第になくなっていく。また、専業主婦やパートタイムで働いている主婦は、組織的に行動する機会が少ないので、日常的に手帳や情報機器をあまり使用しない。このため、退職して自宅で老後を生活する男性や高齢化した主婦は、記憶力が低下していることを認識しているにもかかわらず、手帳にこまめに書き込むのが面倒なので、若いときと同じように頭に記憶することが多い。その結果、憶えているはずの必要事項を忘れてしまうことになる。たとえ、手帳に書き込んだとしても、その手帳を見ることを忘れたり、手帳そのものを忘れることも多い。近年において急速に普及してきた携帯電話にはメモ機能があるものの、高齢者にとっては、そのメモ機能を使いこなすこと自体が困難である。したがって、例えば、病院に行くのに健康保険書を忘れたり、初めて乗る電車で降りるべき駅の名前を忘れたり、飛行機や新幹線の発車時刻を忘れることが多い。なお、「もの忘れ」は高齢者だけでなく、若い人にも起こる得ることである。例えば、手帳や情報機器を使用できない結婚式などのスピーチにおいて、緊張のあまり話す予定の内容を忘れることが多い。そこで、手帳や情報機器に頼らなくても、例えば、手のひらに剥離可能に接着して使用するような、簡単に記録していつでもどこでも見ることができるメモ用シールがあれば極めて便利である。
【０００３】
一方、一般的に情報を記録するための提案としては、従来においても、様々な方法が公表されている。
ある提案においては、立体感や装飾性に富み、その表面を連絡メモなどの情報の貼付部として利用でき、しかも、簡単な方法で効率よく製造できる装飾価値の高い粘着パッドを提供する。この提案の構成は、第一粘着剤層、型抜き可能な基材、および第二粘着剤層をこの順に備えた積層体であって、第二粘着剤層と第一粘着剤層がそれぞれポリウレタン樹脂により形成された１００〜８００ｇｆ／２５ｍｍの粘着力を有する層であり、且つ第二粘着剤層が第一粘着剤層と比べて低い粘着力を有するようになっている（特許文献１参照）。
また、他の提案においては、メモ欄付きのアルバム台紙において、被覆フィルムを捲りやすくすると共に、メモ欄へのメモの記入が簡単にできる。この提案の構成は、板紙などを中央で二つ折りにしてその対向面を接着剤で貼り合わせた台紙本体と、台紙本体の表裏両面に重ね側に余白部を残して塗布した不乾性粘着剤と、余白部に設けたメモ欄と、台紙本体の折り側から台紙本体の表裏両面を被覆して仮着した透明合成樹脂製のフィルムとを有するようになっている（特許文献２参照）。
また、他の提案においては、複数回数の粘着、剥離が容易なカード型シールを提供する。この提案の構成は、裏面に印刷が施されたカードの下層部に、少なくとも二段階の粘着、剥離が可能な粘着層を設けるようになっている（特許文献３参照）。
また、他の提案においは、不透明度が５５％以下にある透明メモ用紙を提供する。この提案の構成は、透明なプラスチックフィルムの少なくとも一面に、全体の不透明度が５５％以下になるように、ポリアクリル酸エステル、ポリビニルアルコール、ポリアクリル酸ビニルおよび合成ゴムからなる群より選ばれた粘着剤１重量部と、白色顔料を主成分とした顔料組成物１〜１０重量部と、からなる透明な塗布剤を塗布して前記一面を粗面化させ、書き込み面を形成してなる（特許文献４参照）。
そのほか、下記の特許文献５（被覆シート）および特許文献６（重ね合わせ葉書用シート）においても、書込みが可能なシートの提案がある。
なお、広く使用されている弱粘着性のシール、又は、セロハン状の透明なテープと紙とよっても、メモした後に手のひらに貼り付ければ忘れ防止に効果があるが、手を強く握りしめたり、物を握ったりした場合や、手を洗ったり、顔を洗ったりすれば、剥がれるおそれが十分にあるので、手のひらに剥離可能に接着して使用するのには適さない。
下記の特許文献のうち、特許文献７については、本発明とは用途および技術分野が異なるが、素材の一部および製造方法が本発明を説明するための参考になるものである。また、特許文献８ないし特許文献１０については、自然環境を保護するために本発明のメモ用シールの素材に有効な技術が記載されており、これらの特許文献の内容は実施形態において説明する。
【特許文献１】特開２００１−０８９７２０号公報
【特許文献２】特開２００２−１２７６５５号公報
【特許文献３】特開２００４−０５０６３３号公報
【特許文献４】特開２００４−１２２７２８号公報
【特許文献５】特開平１０−０２０７９２号公報
【特許文献６】特開平１０−２１７６４５号公報
【特許文献７】特開２００３−０９３４３５号公報
【特許文献８】特表平１０−５１２０１０号公報
【特許文献９】特開２０００−５１５５６６号公報
【特許文献１０】特開２００２−１１４９１１号公報
【発明の開示】
【発明が解決しようとする課題】
【０００４】
上記特許文献１ないし特許文献６の構成は、手帳や情報機器に頼らなくても、簡単に記録していつでもどこでも見ることができるために有効なものではない。
本発明は、このような従来の課題を解決するためになされたもので、手帳や情報機器に頼らなくても、簡単に記録していつでもどこでも見ることができるメモ用シールを提供することを目的とする。
【課題を解決するための手段】
【０００５】
本発明のメモ用シールは、人間の手のひらや身体の他の部分である皮膚に接着して使用する薄膜構造のメモ用シールであって、
所定の領域の平面形状で第１の層および第２の層を有する薄膜部材で構成され、第１の層は透明性および皮膚に接着可能な粘着性を有し、第２の層は透明性および撥水性を有するとともに、第１の層によって皮膚に接着された状態において、その皮膚の動きに応じて伸縮可能な弾性を有する第１の部材と、第１の部材の領域よりも小さい領域の平面形状の薄膜部材で構成され、一方の面は第１の部材に剥離可能に接着され、他方の面は所定の筆記手段によって書込みが可能な第２の部材と、を備えた構成になっている。
【０００６】
本発明のメモ用シールにおいて、第１の部材は、他方の面に書き込みがなされて、その第１の部材から剥離された第２の部材を覆って他方の面を上にした状態で皮膚に接着させた場合には、その書込み内容を十分に認識できる程度の透明性を有するような構成にしてもよい。
【０００７】
本発明のメモ用シールにおいて、第１の部材は、他方の面に書き込みがなされて、その第１の部材から剥離された第２の部材を覆って他方の面を上にした状態で皮膚に接着させた場合には、第２の部材を十分に防水する程度の粘着性および撥水性を有するような構成にしてもよい。
【０００８】
本発明のメモ用シールにおいて、第２の部材は、一方の面が弱粘着性の接着剤によって第１の部材の第２の層の表面に容易に剥離可能な状態で接着されているような構成にしてもよい。
【０００９】
本発明のメモ用シールにおいて、第２の部材は、一方の面が滑らかな表面によって第１の部材の第１の層の表面に容易に剥離可能な状態で接着されているような構成にしてもよい。
【００１０】
本発明のメモ用シールにおいて、第２の部材の他方の面は、水性又は油性のインクを用いる筆記手段および鉛筆によって書込みが可能な程度の粗面であるような構成にしてもよい。
【００１１】
本発明のメモ用シールにおいて、第２の部材の他方の面は、第１の部材の第１の層と接着された場合の接着力が、第１の部材の第１の層と皮膚とが接着された場合の接着力より強くなる程度の粗面であるような構成にしてもよい。
【００１２】
本発明のメモ用シールにおいて、第１の部材は、生分解性プラスチックであるポリ乳酸を素材として構成されているようにしてもよい。さらに、第２の部材は、生分解性の植物繊維を素材として構成されているようにしてもよい。
【発明の効果】
【００１３】
本発明のによれば、手帳や情報機器に頼らなくても、簡単に記録していつでもどこでも見ることができるメモ用シールを実現するという効果が得られる。
【発明を実施するための最良の形態】
【００１４】
以下、本発明によるメモ用シールの実施形態１および実施形態２について、図を参照して説明する。各実施形態におけるメモ用シールは、人間の手のひらや身体の他の部分である皮膚に貼り付けて使用する薄膜構造になっている。
【００１５】
図１は、本発明の実施形態１における薄膜構造のメモ用シールの構成を示す図である。図１（Ａ）はメモ用シールの平面図であり、図１（Ｂ）は図１（Ａ）におけるＸ−Ｘ線に沿った断面図である。この図において、基材１（第１の部材）は、人間の手のひらに収まる程度の所定の領域の平面形状であり、薄膜層（第２の層）および接着層（第１の層）で形成され、共に撥水性、透明性、および弾性を有する。基材１の上面には、基材１の領域よりも小さい領域の平面形状で、紙や布などを素材とする薄膜の書込み部２（第２の部材）が剥離可能に接着されている。さらに、図１（Ｂ）に示すように、基材１の下面、すなわち、書込み部２が接着された面と反対の面には、２枚の薄い保護紙３、４が矢印の方向に剥離可能に接着されている。
【００１６】
図２は、図１に示した基材１、書込み部２、紙３および紙４の構成をさらに詳細に説明するための図である。この図において、書込み部２の下面２ａ（一方の面）には透明性、粘着性、および弾性を有する接着剤が形成されており、基材１の上面１ａに接着されている。ただし、基材１の薄膜層の上面１ａは滑らかな表面になっているので、書込み部２は容易に剥離することができる。一方、書込み部２の上面２ｂ（他方の面）は、水性又は油性のインクを用いるサインペンおよび鉛筆によって書き込みが可能な程度の粗面になっている。
【００１７】
基材１の薄膜層の下面１ｂすなわち接着層は、人間の手のひらや身体の他の部分である皮膚に強い粘着力で接着するような無害な接着剤で構成されている。例えば、上記の特許文献７に記載されている救急絆創膏のように、皮膚の傷口等の部分に貼着しても、健康を害することがないような接着剤で構成されている。この接着剤は強い接着性をもっているが、基材１の下面１ｂに接着されている保護紙３、４の上面３ａ、４ａは、滑らかな表面加工が施されているので、容易に剥離できるようになっている。この点においても、上記の特許文献７において、従来技術として記載されている図１５における救急絆創膏の剥離シートのように、容易に剥離できるようになっている。
【００１８】
次に、実施形態１のメモ用シールの使用方法について説明する。
図１に示した状態において、書込み部２に水性若しくは油性のサインペン又は鉛筆でメモを書き込み、その書込み部２を基材１から剥離する。次に、その書き込んだ面を上にして手のひらに貼り付けた後、基材１の保護紙３、４を剥離して、書き込む部２を覆うようにして手のひらに基材１を貼り付ける。
【００１９】
図３は、書込み部２および基材１を手のひら１０に貼り付けた状態を示す図である。この図に示すように、メモが書き込まれた書込み部２は、透明な基材１が上から貼られているので、メモに内容を認識することができる。すなわち、基材１は、書込み部２の書込み内容を十分に認識できる程度の透明性があればよい。基材１は手のひらに収まる程度の領域であるので、手のひら１０を軽く握るだけで、メモの内容はもちろんのこと、書込み部２を貼っていることも周りの他人に気付かれることはない。
また、基材１および書込み部２は弾性と強い接着性をもっているので、手を強く握りしめたり、物を握ったりした場合でも、剥離したり、皺が寄ったりするおそれがなく、メモの内容が分からなくなることがない。弾性をもっていても、何も貼られていない状態に比べると、手のひら１０に適度な違和感があるので、論理としての脳がメモしたことは忘れてしまっても、動物の感性としての脳によって、手のひら１０が少しでも動けば、メモしたことを思い出すことになる。
さらに、基材１は、撥水性をもっているので、手を洗ったり、顔を洗ったりしても、水が書込み部２に浸透するおそれがなく、メモの内容が分からなくなることがない。
さらにまた、そのメモが不要になって基材１を手のひら１０から剥離する場合には、書込みがされた書込み部２の上面が粗面になっているので、基材１と書込み部２との間は極めて強い接着力があり、基材１と共に書込み部２も剥離され、書込み部２だけが手のひら１０に残るような不具合が生じない。
【００２０】
以上のように、この実施形態１のメモ用シールによれば、手帳や情報機器に頼らなくても、憶えておきたいことをメモした後に、手のひらに接着して使用することにより、簡単に記録していつでもどこでも見ることができる。
また、本発明のメモ用シールは、手のひらに収まればよいので、図３に示した例よりもさらに大きなメモ用シールも可能である。したがって、例えば、試験勉強中の学生が英語の単語や化学式の構造などを通学の満員電車の中で暗記する場合には、ポケットから紙を取り出して憶えるよりも、手のひらを広げるだけで憶えることができるので便利である。あるいは、結婚式などのスピーチにおいて、実施形態１のメモ用シールにスピーチの内容を箇条書きして手のひらに貼り付ければ、他の人に悟られることなく、スピーチを行うことができる。
【００２１】
なお、実施形態１においては、書込み部２の形状を長方形としたが、本発明の適用範囲は長方形に限定されるものではない。円形や楕円形あるいは花の形、動物の形でもよいし、アニメや漫画の著名なキャラクタでもよい。例えば、花、動物、著名なキャラクタにメモを書いて、小さい子供の手のひらや手の甲に貼り付けることも考えられる。また、書込み部２の色についても、白や肌色だけでなく、メモが読めるならば他の色でもよい。
【００２２】
次に、本発明の実施形態２について説明する。
図４は、実施形態２における薄膜構造のメモ用シールの構成を示す図である。図４（Ａ）はメモ用シールの断面図であり、図４（Ｂ）はそのメモ用シールの片面を示す平面図である。図４において、撥水性、透明性、および弾性を有する基材１の接着層には、実施形態１と同様に、保護紙３、４、５が隔離可能に接着されている。この実施形態２においては、その保護紙３、４、５を書き込み部として使用する。すなわち、保護紙３、４、５の下面３ｂ、４ｂ、５ｂは、適度な弾性をもっていると共に、水性又は油性のインクを用いるサインペンおよび鉛筆によって書き込みが可能な程度の粗面になっている。
【００２３】
次に、実施形態２のメモ用シールの使用方法について説明する。
図４（Ｂ）に示した状態において、書き込む内容によって選択したいずれかの保護紙３、４、５の下面３ｂ、４ｂ、５ｂに、水性若しくは油性のサインペン又は鉛筆でメモを書き込み、その保護紙を基材１から剥離する。次に、他の保護紙を剥離した後、書込みした保護紙の下面を基材１に貼り付けた後、その基材１を手のひらに貼り付ける。
【００２４】
以上のように、実施形態２のメモ用シールも、実施形態１と同様に、手帳や情報機器に頼らなくても、憶えておきたいことをメモした後に、手のひらに接着して使用することにより、簡単に記録していつでもどこでも見ることができる。
また、基材１は、撥水性をもっているので、手を洗ったり、顔を洗ったりしても、水が保護紙に浸透するおそれがなく、メモの内容が分からなくなることがない。
さらにまた、そのメモが不要になって基材１を手のひらから剥離する場合には、書込みがされた保護紙の上面が粗面になっているので、基材１と保護紙との間は極めて強い接着力があり、基材１と共に保護紙も剥離され、保護紙だけが手のひらに残るような不具合が生じない。
【００２５】
この実施形態２において、保護紙３、４、５の形状は長方形であるが、円形や楕円形あるいは花の形、動物の形、アニメや漫画の著名なキャラクタの形が切り抜きできる構成でもよい。また、保護紙３、４、５の色についても、白や肌色だけでなく、メモが読めるならば他の色でもよい。
【００２６】
上記各実施形態におけるメモ用シールは、そのメモが不要になったときは、捨てられることになる。そこで、捨てられた後に自然環境を保護するために、メモ用シールを生分解されるポリ乳酸の素材や植物繊維の素材で構成することが好ましい。基材１は、例えば、特許文献８および特許文献９に記載されているような、生物学的に分解可能なポリマー混合物である芳香族ポリエステル、脂肪族ポリエステル、ポリエステルアミド、ポリエステルウレタン、ポリグリコール、ポリエチレンオキシドなどの素材で構成することが好ましい。接着剤についても同様である。また、書き込み部２および保護紙３、４、５は、例えば、特許文献１０に記載されているような、芋類の皮、米、小麦、トウモロコシ、ピーナッツ、ココナッツの殻や茎、海藻などを含む天然の植物繊維の素材又はその混合物で構成することが好ましい。
このような生物学的に分解可能な素材は、メモ用シールに用いるには今のところ高価であるが、石油を元に製造されている全てのプラスチック製品に代わるものとして、生物学的に分解可能なプラスチックの研究開発が急速に進んでいるので、近い将来においては安価な素材になり得る可能性が高い。さらに、各実施形態におけるメモ用シールは、特許文献７において、従来技術として記載された救急絆創膏の製造方法として、すでに確立されている製造方法に極めて近い方法で製造できるので、救急絆創膏の製造ラインを活用すれば、特別な設備投資をしなくても安価に製造できる。
【００２７】
なお、上記各実施形態においては、１枚構成のメモ用シールについて説明したが、例えば、基材１の端部における保護紙をカットして、複数のメモ用シールを重ね合わせた構造とし、１枚ずつ剥がして使用することも可能である。
さらに、上記各実施形態においては、他の人に知られないように、手のひらに貼り付けるメモ用シールについて説明したが、本発明のメモ用シールは、他の人に知られても構わない場合、あるいは、積極的に周囲の人に知らせるような場合には、手の甲や身体の他の部分である皮膚に貼り付けて使用することも可能である。
【００２８】
さらにまた、上記各実施形態において明らかなように、身体の皮膚に限らず、カバン、本、靴、机など、身体以外のあらゆる物に貼り付けて、一時的又は半永久的に使用するメモ用シールも、撥水生や弾性の利点を有効に生かせるので、各実施形態と同様の構造からなるそのようなメモ用シールも本発明の技術範囲に属するものである。
【図面の簡単な説明】
【００２９】
【図１】実施形態１のメモ用シールの構造を示す図。
【図２】実施形態１のメモ用シールの詳細な構造を示す図。
【図３】実施形態１のメモ用シールの使用例を示す図。
【図４】実施形態２のメモ用シールの構造を示す図。。
【符号の説明】
【００３０】
１  基材
２  書込み部
３、４、５  保護紙
１０  手のひら
【図１】
2006062207.tif 000003
【図２】
2006062207.tif 000004
【図３】
2006062207.tif 000005
【図４】
2006062207.tif 000006